(57)【要約】【課題】    移動通信端末装置におけるテレビ電話通信の品質を簡易に、かつ、正確に検査することができる通信品質検査装置を提供する。【解決手段】    移動通信端末装置１０が、電気通信網３０を介して、通信品質検査装置７０に通信接続要求を行う。通信品質検査装置７０は、テレビ電話通信状態となり、再生中の第１情報を移動通信端末装置１０に送信する。検査者は、移動通信端末装置１０が受信し表示再生した第１情報を検査する。また同時に、移動通信端末装置１０は、撮影入力された第２情報を通信品質検査装置７０に送信する。通信品質検査装置７０は、受信した第２情報の記録解析を開始する。検査が終了すると、移動通信端末装置１０は通信切断し、それを通知された通信品質検査装置７０は、第１情報の送信と第２情報の記録解析を終了する。その後、検査者は通信品質検査装置７０を用い、記録解析された第２情報を検査する。【選択図】  図１
2005303912.tif 000002
【特許請求の範囲】
【請求項１】
少なくとも１つの移動通信端末装置が係わるテレビ電話通信の品質を検査するための通信品質検査装置であって、
前記少なくとも１つの移動通信端末装置へ向けて送信するために予め記録された動画像及び音声の情報である第１情報を再生する記録情報再生手段と；
前記記録情報再生手段が再生した前記第１情報を、対応する移動通信端末装置へ向けて送信するとともに、前記対応する移動通信端末装置から送信された動画像及び音声の情報を含む第２情報を受信する、テレビ電話通信が可能な電気通信網に接続された少なくとも１つのテレビ電話通信手段と；
前記少なくとも１つのテレビ電話通信手段それぞれが受信した前記第２情報を記録すると共に、記録開始時間、記録終了時間及び前記少なくとも１つのテレビ電話通信手段の識別情報を記録する情報記録手段と；を備える通信品質検査装置。
【請求項２】
前記少なくとも１つのテレビ電話通信手段それぞれが受信した前記第２情報の動画像の情報を解析し、解析結果を記録する解析手段を更に備える、ことを特徴とする請求項１に記載の通信品質検査装置。
【請求項３】
前記第２情報は、前記移動通信端末装置が保持する無線信号情報を更に含み、
前記解析手段は、前記無線信号情報を更に解析する、ことを特徴とする請求項２に記載の通信品質検査装置。
【請求項４】
前記少なくとも１つのテレビ電話通信手段の数は複数であり、
前記記録情報再生手段により再生された前記第１情報を前記複数のテレビ電話通信手段に分配する再生情報分配手段を更に備える、ことを特徴とする請求項１〜３に記載の通信品質検査装置。
【請求項５】
前記情報記録手段は、前記第２情報の存在を検出した場合に記録を行う、ことを特徴とする請求項１〜４のいずれか一項に記載の通信品質検査装置。
【請求項６】
前記テレビ電話通信手段は、前記移動通信端末装置から着信があった場合には着信応答して通信状態となり、前記移動通信端末装置により切断された場合には切断応答して非通信状態となる、ことを特徴とする請求項１〜５のいずれか一項に記載の通信品質検査装置。
【請求項７】
前記テレビ電話通信手段は、前記電気通信網の構成要素である固定通信網に接続される、ことを特徴とする請求項１〜６のいずれか一項に記載の通信品質検査装置。
【請求項８】
少なくとも１つの移動通信端末装置が係わるテレビ電話通信の品質を検査するための通信品質検査方法であって、
前記少なくとも１つの移動通信端末装置へ向けて送信するために予め記録された動画像及び音声の情報である第１情報を再生する第１情報再生工程と；
前記記録情報再生工程において再生された第１情報を、テレビ電話通信が可能な電気通信網を介して前記少なくとも１つの移動通信端末装置へ送信する第１情報送信工程と；
前記第１情報を受信した前記少なくとも１つの移動通信端末装置それぞれが、前記第１情報に含まれる動画像情報を表示出力するとともに、前記第１情報に含まれる音声情報を音声出力する表示音声出力工程と；
前記表示音声出力工程において表示出力された動画像情報及び音声出力された音声情報に基づいて、前記少なくとも１つの移動通信端末装置が係わるテレビ電話通信の通信品質を検査する第１情報通信品質検査工程と；
前記少なくとも１つの移動通信端末装置それぞれから動画像及び音声の情報である第２情報を、前記電気通信網を介して、送信する第２情報送信工程と；
前記電気通信網を介した後の第２情報を記録する第２情報記録工程と；
前記少なくとも１つの移動通信端末装置が係わるテレビ電話通信の通信品質を検査する第２情報通信品質検査工程と；を備える通信品質検査方法。
【請求項９】
前記電気通信網は、固定通信網、移動通信網、及び前記固定通信網と前記移動通信網とを接続するゲートウェイを含む、ことを特徴とする請求項８に記載の通信品質検査方法。
【請求項１０】
前記情報記録工程では、前記第２情報のうち動画像の情報を解析し、解析結果を前記第２情報と共に記録する、ことを特徴とする請求項８又は９に記載の通信品質検査方法。
【請求項１１】
少なくとも１つの移動通信端末装置が係わるテレビ電話通信の品質を検査するための通信品質検査システムであって、
請求項１〜７のいずれか一項に記載の通信品質検査装置と；
前記移動通信端末装置が接続され、かつ、前記通信品質検査装置が接続されたテレビ電話通信が可能な電気通信網と；
を備える通信品質検査システム。
【請求項１２】
前記電気通信網は、固定通信網、移動通信網、及び前記固定通信網と前記移動通信網とを接続するゲートウェイを含む、ことを特徴とする請求項１１に記載の通信品質検査システム。
【発明の詳細な説明】
【技術分野】
【０００１】
本発明は、通信品質検査装置、通信品質検査方法及び通信品質検査システムに係り、より詳しくは、移動通信端末装置におけるテレビ電話通信の通信品質検査装置、通信品質検査方法及び通信品質検査システムに関する。
【背景技術】
【０００２】
従来から、携帯電話等の移動通信端末装置が広く普及している。こうした移動通信端末装置の機能や性能の向上は目覚しく、移動通信端末装置としての必須機能である通話機能に加えて、通信速度の向上を利用したテレビ電話機能を備えるものも増えてきている。
【０００３】
テレビ電話機能は、以前はＩＳＤＮの固定通信網を介してのみ実現されていたが、移動通信網を介した移動通信端末装置のテレビ電話機能では、従来では考えられなかった様々な条件で検査が必要となっている。そうした条件の一つとして、様々な電波状態がある。
【０００４】
そもそも、移動通信端末装置におけるテレビ電話機能を実現するためには、移動通信端末装置は、一定以上の情報量を送受信し続ける必要があるが、電波状態の悪い場合には、十分な情報量が取得できない場合もある。しかし、そのような場合でも移動通信端末装置は処理を止めることなく表示し続ける機能を備えていることが必要とされるため、その結果、電波状態の悪い地点では、移動通信端末装置に表示される画像が途切れたり、乱れたりする。このような画像の乱れが観測されることを利用して、テレビ電話機能を備えた移動通信端末装置の品質検査では、既知の様々な電波状態の場所で、送受信された動画像及び音声の品質検査を行っている。また、この検査方法は、移動通信端末装置自体の検査だけでなく、既に機能的に保障された移動通信端末装置を用いることにより、電波状態の品質の検査にも用いられている。
【０００５】
実際の検査において、従来の手法によれば、移動通信端末装置を携帯して屋外等の検査地点で測定を行なう現地検査者と、ネットワークセンター等の定点で、例えば現地検査者と同じ通信端末装置を有する定点検査者との間で、テレビ電話機能による通信を行って、両端末装置間による動画像及び音声の品質検査を実施するようにしていた。この手法によれば、屋外等の検査地点に出向く現地検査者と、ネットワークセンター等の定点で検査を行う定点検査者を配置する必要があるが、このような対向で行う試験方法は、所望の測定点が複数あるときに、それぞれ、少なくとも２名の検査要員を配置する必要がある。
【発明の開示】
【発明が解決しようとする課題】
【０００６】
上述したように、移動通信端末装置におけるテレビ電話機能の通信品質検査では、定点検査側と、現地検査側の双方に検査者を配置する必要が生じてしまう。さらには、屋外等の電波状況の確認においては、特定の位置にとらわれることなく、複数の地点での品質検査が必要であるため、これに充当する複数の人員を確保しなければならなく、また、人員配置や試験実施時刻の計画等を立てなければならなく、作業が煩雑となる。
【０００７】
さらに、前述の対向試験を行なうために、定点側であるネットワークセンター側の検査者は、屋外等の不定点で通話試験を実施する現地検査者が適当な検査地点へ移動するまで、検査を開始することができず、検査準備を整えた状態で待たなければならなかった。また、屋外等での検査は目的の場所においてのみ行うだけでなく、時間及び場所にとらわれず、検査を行いたい電波状態になったところで、検査を行いたい場合もあり、検査者を双方に置く検査方法では、人員配置のための検査計画を立てなければならなく、簡易に検査を行なうことができない。
【０００８】
さらに、屋外等で移動通信端末装置を用いて動画像及び音声を検査する現地検査者と、その移動通信端末装置から送信される動画像及び音声を、定点にある移動通信端末装置で確認している検査者とでは、互いの映像に対する知覚の仕方や品質についての認識の違いがある場合があり、検査において判定に疑義が生じる場合もあるし、不具合があるときの不具合個所の特定が困難である場合もある。
【０００９】
一方、移動通信端末装置自体の検査ではなく、電波の品質について検査を行いたい場合がある。それは、移動通信端末装置における受信電界強度等の測定において、電波状態がよいとされる場所においても、実際に機能が保障された端末装置で通信を行ってみると、通信の品質が十分でないことがあるからである。この場合には実際の通信を行いながら通信品質の検査する必要があり、このような電波の通信品質の検査を簡易にしたいという要請もある。
【００１０】
本発明は、上記の事情を鑑みてなされたものであり、移動通信端末装置におけるテレビ電話通信の品質を簡易に、かつ、正確に検査することができる通信品質検査装置、通信品質検査方法及び通信品質検査システムを提供することを目的とする。
【課題を解決するための手段】
【００１１】
本発明の通信品質検査装置は、少なくとも１つの移動通信端末装置が係わるテレビ電話通信の品質を検査するための通信品質検査装置であって、前記少なくとも１つの移動通信端末装置へ向けて送信するために予め記録された動画像及び音声の情報である第１情報を再生する記録情報再生手段と；前記記録情報再生手段が再生した前記第１情報を、対応する移動通信端末装置へ向けて送信するとともに、前記対応する移動通信端末装置から送信された動画像及び音声の情報である第２情報を受信する、テレビ電話通信が可能な電気通信網に接続された少なくとも１つのテレビ電話通信手段と；前記少なくとも１つのテレビ電話通信手段それぞれが受信した前記第２情報を記録すると共に、記録開始時間、記録終了時間及び前記少なくとも１つのテレビ電話通信手段の識別情報を記録する情報記録手段と；を備える通信品質検査装置である。
【００１２】
ここで、「移動通信端末装置が係わるテレビ電話通信の品質」とは、テレビ電話通信における移動通信端末装置の送受信処理や送受信されるデータ処理の品質、及び、テレビ電話通信の送受信に利用される電波の品質、の両方の意味を含むものとする。本明細書においては、この意味で、「移動通信端末装置が係わるテレビ電話通信の品質」の用語を使用する。また、「通信品質」の語についても、移動通信端末装置の送受信処理や送受信されるデータ処理の品質、及び、送受信に利用される電波の品質、の両方の意味を含むものとして使用する。
【００１３】
この通信品質検査装置では、記録情報再生手段が、あらかじめ記録された動画像及び音声の情報、すなわち記録媒体に録画された映像及び音声の情報、である第１情報を、少なくとも１つの移動通信端末装置に送信するために再生する。そして、電気通信網に接続された少なくとも１つのテレビ電話通信手段が、記録情報再生手段により再生された第１情報を、テレビ電話通信により移動通信端末装置に送信する。この送信と並行して、テレビ電話通信手段は、その移動通信端末装置により送信された動画像及び音声の情報、すなわち例えば移動通信端末装置において撮影及び録音された情報、である第２情報を受信する。引き続き、情報記録手段は、受信された第２情報を記録すると共に、記録開始時間、記録終了時間及び当該テレビ電話通信手段の識別情報を記録する。
【００１４】
したがって、本発明の通信品質検査装置によれば、テレビ電話通信を行う双方の通信端末装置に検査者を同時に配置することなく、通信品質の検査を行うことができる。この結果、移動通信端末装置が係わるテレビ電話通信の品質を簡易に、かつ、正確に検査することができる。
【００１５】
また、本発明の通信品質検査装置では、前記少なくとも１つのテレビ電話通信手段それぞれが受信した前記第２情報の動画像の情報を解析し、解析結果を記録する解析手段を更に備える、とすることができる。この場合には、解析手段は受信した第２情報の動画像の情報を解析し、その解析結果を記録する。解析手法としては、例えば、動画像の途切れや、解像度が粗い状態を検出して抽出することなどが、考えられる。
【００１６】
さらに、第２情報は、移動通信端末装置が保持する無線信号情報を更に含み、解析手段は、無線信号情報を更に解析することができる。ここで、無線信号情報とは、例えば受信電界強度、収容チャネル、隣接チャネル及び隣接チャネル電界強度等をいう。この場合には、移動通信端末装置の電波環境の情報をあわせて解析することが可能である。この結果、検査者は、より簡易に、かつ正確に検査することができる。
【００１７】
また、本発明の通信品質検査装置では、テレビ電話通信手段の数を複数とし、記録情報再生手段により再生された第１情報を複数のテレビ電話通信手段に分配する再生情報分配手段を更に備えることとすることができる。この場合には、複数の移動通信端末装置との通信を同時に行うことができ、複数の移動通信端末装置の検査を同時に行うことができる。この結果、複数の移動通信端末装置が係わるテレビ電話通信の品質を、並列して検査することができる。
【００１８】
また、本発明の通信品質検査装置では、情報記録手段は、第２情報の存在を検出した場合に記録を行う、とすることができる。したがって、この場合には、情報記録手段は、テレビ電話通信が行われているときのみ記録を行うことができる。この結果、記録媒体を無駄に消費せず記録できると共に、検査する対象である動画像及び音声の量を減らし、検査時間を短縮することができる。
【００１９】
また、本発明の通信品質検査装置では、テレビ電話通信手段は、移動通信端末装置から着信があった場合には着信応答して通信状態となり、移動通信端末装置により切断された場合には切断応答して非通信状態となることができる。したがって、この場合には、テレビ電話通信手段側に人を配置していなくても、自動的に通話状態を作り出すことができ、検査を開始することができる。この結果、より簡易に検査することができる。
【００２０】
また、本発明の通信品質検査装置では、テレビ電話通信手段は、電気通信網の構成要素である固定通信網に接続することができる。これにより、電気通信網の構成要素のうち固定通信網と通信品質検査装置の間で送受信される第１情報及び第２情報の劣化を防ぐことができる。この結果、より正確な検査を行うことができる。
【００２１】
本発明の通信品質検査方法は、少なくとも１つの移動通信端末装置が係わるテレビ電話通信の品質を検査するための通信品質検査方法であって、前記少なくとも１つの移動通信端末装置へ向けて送信するために予め記録された動画像及び音声の情報である第１情報を再生する第１情報再生工程と；前記記録情報再生工程において再生された第１情報を、テレビ電話通信が可能な電気通信網を介して前記少なくとも１つの移動通信端末装置へ送信する第１情報送信工程と；前記第１情報を受信した前記少なくとも１つの移動通信端末装置それぞれが、前記第１情報に含まれる動画像情報を表示出力するとともに、前記第１情報に含まれる音声情報を音声出力する表示音声出力工程と；前記表示音声出力工程において表示出力された動画像情報及び音声出力された音声情報に基づいて、前記少なくとも１つの移動通信端末装置が係わるテレビ電話通信の通信品質を検査する第１情報通信品質検査工程と；前記少なくとも１つの移動通信端末装置それぞれから動画像及び音声の情報である第２情報を、前記電気通信網を介して、送信する第２情報送信工程と；前記電気通信網を介した後の第２情報を記録する第２情報記録工程と；前記少なくとも１つの移動通信端末装置が係わるテレビ電話通信の通信品質を検査する第２情報通信品質検査工程；を備える通信品質検査方法である。
【００２２】
この通信品質検査方法では、第１情報再生工程において、あらかじめ記録された動画像及び音声の情報、すなわち記録媒体に録画された映像及び音声の情報、である第１情報を、少なくとも１つの移動通信端末装置に送信するために再生する。次に、第１情報送信工程において、再生された第１情報を、テレビ電話通信が可能な電気通信網を介して、移動通信端末装置へ送信する。
【００２３】
引き続き、表示音声出力工程において、第１情報を受信した移動通信端末装置が、第１情報に含まれる動画像情報と音声情報をそれぞれ表示出力、音声出力する。次いで、第１情報通信品質検査工程において、表示出力された動画像情報及び音声出力された音声情報に基づいて、移動通信端末装置のテレビ電話通信の通信品質を検査する。
【００２４】
また、第２情報送信工程において、動画像及び音声の情報、すなわち移動通信端末装置において撮影及び録音された情報、である第２情報を、少なくとも１つの移動通信端末装置から、電気通信網を介して通信品質検査装置へ送信する。次に、第２情報記録工程において、通信品質検査装置に送信された第２情報を受信した後、第２情報を記録する。引き続き、第２情報通信品質検査工程において、記録された第２情報を解析し、移動通信端末のテレビ電話通信の通信品質を評価する。
【００２５】
したがって、本発明の通信品質検査方法によれば、テレビ電話通信を行う双方の通信端末装置に検査者を同時に配置することなく、通信品質の検査を行うことができる。この結果、移動通信端末装置が係わるテレビ電話通信の品質を簡易に、かつ、正確に検査することができる。
【００２６】
また、本発明の通信品質検査方法では、電気通信網は、固定通信網、移動通信網、及び固定通信網と移動通信網とを接続するゲートウェイを含む、とすることができる。したがって、検査対象である移動通信端末装置と移動通信網との間の無線区間以外をすべて有線で結ぶことにより、当該無線区間以外における第１情報及び第２情報の劣化を防ぐことができる。この結果、移動通信端末装置又は当該無線区間を対象とする検査を、より正確に行うことができる。
【００２７】
また、本発明の通信品質検査方法では、情報記録工程は、第２情報のうち動画像の情報を解析し、解析結果を第２情報と共に記録する、とすることができる。この場合には、情報記録工程において、第２情報の記録だけでなく、第２情報の動画像の情報を解析し、その解析結果を、第２情報と共に記録する。解析手法としては、例えば、動画像の途切れや、解像度が粗い状態を検出して抽出することなどが、考えられる。この結果、検査者は、より簡易に、かつ正確に検査することができる。
【００２８】
本発明の通信品質検査システムは、少なくとも１つの移動通信端末装置が係わるテレビ電話通信の品質を検査するための通信品質検査システムであって、本発明の通信品質検査装置と；前記移動通信端末装置が接続され、かつ、前記通信品質検査装置が接続されたテレビ電話通信が可能な電気通信網とを備える通信品質検査システムである。
【００２９】
本発明の通信品質検査システムは、上述した本発明の通信品質検査装置を用い、移動通信端末装置が接続され、かつ、前記通信品質検査装置が接続されたテレビ電話通信が可能な電気通信網を利用した通信品質システムである。
【００３０】
すなわち、本発明の通信品質検査システムでは、上述した本発明の通信品質検査装置を用い、上述した本発明の通信品質検査方法を使用して、テレビ電話通信をおこなう双方の端末のうち、移動通信端末装置側のみに検査者をおくことで、検査を行うことができる。
【００３１】
したがって、本発明の通信品質検査システムによれば、テレビ電話通信を行う双方の通信端末装置に検査者を同時に配置することなく、通信品質の検査を行うことができる。この結果、移動通信端末装置が係わるテレビ電話通信の品質を簡易に、かつ、正確に検査することができる。
【００３２】
また、本発明の通信品質検査システムでは、電気通信網は、固定通信網、移動通信網、及び固定通信網と移動通信網とを接続するゲートウェイを含む、とすることができる。したがって、検査対象である移動通信端末装置と移動通信網との間の無線区間以外をすべて有線で結ぶことにより、当該無線区間以外における第１情報及び第２情報の劣化を防ぐことができる。この結果、移動通信端末装置又は当該無線区間を対象とする検査を、より正確に行うことができる。
【発明の効果】
【００３３】
以上説明したように、本発明の通信品質検査装置、通信品質検査方法及び通信品質質検査システムは、移動通信端末装置が係わるテレビ電話通信の品質を簡易に、かつ、正確に検査することができるという効果を奏する。
【発明を実施するための最良の形態】
【００３４】
以下、本発明の一実施形態を、図１〜図７を参照しつつ説明する。なお、これらの図においては、同一又は同等の要素には同一の符号を付し、重複する説明を省略する。  
【００３５】
図１には、本発明の一実施形態に係る通信品質検査システム１００の構成が模式的に示されている。図１に示されるように、この通信品質検査システム１００は、（ａ）テレビ電話通信が可能な携帯電話１０１〜１０Ｎ（Ｎは自然数）と、（ｂ）携帯電話１０１〜１０Ｎと接続され、テレビ電話通信が可能な電気通信網３０と、（ｃ）電気通信網を介し、携帯電話１０１〜１０Ｎと通信を行いテレビ電話通信の品質の検査を行う通信品質検査装置７０とを備えている。
【００３６】
さらに、電気通信網３０は、（Ｉ）携帯電話１０１〜１０Ｎと無線通信を行う基地局４１と、（II）基地局４１が接続されたテレビ電話通信が可能な移動通信網４０と、（III）通信品質検査装置７０が接続されたテレビ電話通信が可能な固定通信網５０と、（IV）移動通信網４０と固定通信網５０を接続するゲートウェイ装置６０とから構成されている。
【００３７】
なお、基地局４１は一般に複数であり、携帯電話１０１〜１０Ｎはそれぞれ異なる基地局と無線通信を行ってもよいが、ここでは代表的に一つであるとして示している。
【００３８】
図２には、携帯電話１０１の外観構成が概略的に示されている。図２に示されるように、携帯電話１０１は、（ｉ）携帯電話本体１１と、（ii）電話番号を入力するためのテンキー、及び、動作モードの切替等の各種指令を入力するためのファンクションキーを有する操作部１２と、（iii）携帯電話１０１の操作案内、動作状況、受信メッセージ等を表示する液晶表示装置を有する表示部１３と、（iv）通話時に通信相手から送られてきた音声信号を再生する通話用スピーカ１４と、（ｖ）集音時に音を入力したり、通話時に音声を入力したりするためのマイクロフォン１５と、（vi）表示部１３の表示方向の静止画像や動画像を撮影し、携帯電話１０に撮影情報を入力するための自分撮り用カメラ１６と、（vii）基地局４１と無線通信を行うためのアンテナ１７と、（viii）着信音や案内音を発生するための案内用スピーカ１８と、（ix）表示部１３の表示方向とは反対方向の静止画像や動画像を撮影し、携帯電話１０１に撮影情報を入力するための相手撮り用カメラ１９とを備える。なお、前記案内用スピーカ１８では、携帯電話１０１の機能設定により、着信時における相手方の音声出力に用いることもできる。
【００３９】
ここで、携帯電話１０１は軸ＡＸで、表示部１３と操作部１２が対向する向きに折りたたみ回動するクラムシェル型の携帯電話であり、本実施形態のテレビ電話通信を行なう際には、携帯端末１０１に備える自分撮り用カメラ１６により撮影された動画像、及び、マイクロフォン１５により入力された音声である撮影入力情報（後述する図７における第２情報の一部）、及び、アンテナ１７を用いて受信される収容チャネル及び隣接チャネルの情報と、アンテナ１７を用いて計測される情報である隣接チャネル電界強度及び受信電界強度の情報である無線信号情報（後述する図７における第２情報の一部）を、アンテナ１７を介して送信する。
【００４０】
また、通信品質検査装置７０は、図３に示されるように、（ｉ）記録された動画像及び音声の情報である記録情報（後述する図６における第１情報）を再生し、出力する記録情報再生手段７１と、（ii）記録情報再生手段７１により再生し、出力された記録情報を入力し、複数（Ｎ個）に分配して出力する再生情報分配手段７２と、（iii）複数（Ｎ個）に分配されて出力された記録情報を、テレビ電話通信により固定通信網５０を介して、携帯電話１０１に送信すると共に、携帯電話１０１から受信した撮影入力情報及び無線信号情報を出力するテレビ電話通信手段８０１と、（iv）テレビ電話通信手段８０１と同様の機能を備え、携帯電話１０２〜１０Ｎとの間で、それぞれテレビ電話通信を行うテレビ電話通信手段８０２〜８０Ｎと、（ｖ）テレビ電話通信手段８０１〜８０Ｎから出力された撮影入力情報及び無線信号情報を入力し、それぞれの情報の記録と解析を行う情報記録解析手段９０とを備える。
【００４１】
ここで、テレビ電話通信手段８０１は、図４に示されるように、その内部に、（ｉ）再生情報分配手段７２から出力された記録情報を入力する送信情報入力部８１と、（ii）入出力される情報の制御や固定通信網５０との通信制御を中心としたテレビ電話通信手段全体を統括制御する制御部８２と、（iii）固定通信網５０との送受信を行う送受信部８３と、（iv）受信した撮影入力情報及び無線信号情報を情報記録解析手段９０に出力する受信情報出力部８４と、を備える。
【００４２】
さらに、制御部８２は、入力した記録情報を固定通信網５０に送信する形式に変換処理する送信情報処理部８５と、固定通信網５０から着信があった場合に応答して通信状態とし、切断された場合には非通信状態とする通信制御部８６と、受信した撮影入力情報及び無線信号情報を受信情報出力部８４から出力する形式に変換処理する受信情報処理部８７と、を備える。
【００４３】
また、テレビ電話通信手段８０２〜８０Ｎもテレビ電話通信手段８０１と同一の構成であり、同様の処理を行う。
【００４４】
また、情報記録解析手段９０は、図５に示されるように、その内部に、（ｉ）テレビ電話通信手段８０１〜８０Ｎから出力された撮影入力情報及び無線信号情報（以下、撮影入力情報等という。）を、出力した各テレビ電話通信手段を識別して入力し、制御部９２で処理できる形式に変換処理する動画音声入力処理部９１と、（ii）入力された撮影入力情報等の記録解析や、解析結果の表示出力など、情報記録解析手段９０を統括制御する制御部９２と、（iii）入力された撮影入力情報等やその解析結果などのデータを格納する記憶装置９３と、（iv）検査者が、撮影入力情報等やその解析結果などを参照するために、必要な情報を入力するキーボードやマウス等の操作入力装置９４と、（ｖ）操作入力装置９４を用いて入力された必要な情報に基づき、記憶装置９３に格納された撮影入力情報等やその解析結果を出力するＣＲＴやＬＣＤ等の表示装置９５と、を備える。
【００４５】
本実施形態における情報記録解析手段９０の制御部９２は、ＲＡＭ等の揮発性記憶装置、ソフトウェアプログラムを保存する不揮発性の記憶装置及びＣＰＵ等から構成されており、情報記録部９６、情報解析部９７及び表示出力部９８は、その不揮発性の記憶装置に保存されたソフトウェアプログラムにより実現されている。また、記憶装置９３も不揮発性の記憶装置を用いて実現されている。
【００４６】
更に、制御部９２は、動画音声入力処理部９１で入力された撮影入力情報等を記憶装置９３に、記録すると共に、その記録開始と記録終了の日時、及び出力したテレビ電話通信手段を記録する情報記録部９６と、情報記録部９６により記録される撮影入力情報等のうち、動画像の情報を解析する情報解析部９７と、操作入力装置９４により指定された撮影入力情報等や解析結果を記憶装置９３から読出し、表示装置９５に出力する表示出力制御部９８と、を備える。
【００４７】
次に、上記のように構成された通信品質検査システム１００における、テレビ電話機能検査の方法について説明する。
【００４８】
図６に示されるように、まず、記録情報再生手段７１は、記録された記録情報を永続的に再生する。ここで、再生された記録情報は、再生情報分配手段７２を介し、テレビ電話通信手段８０１〜８０Ｎそれぞれの送信情報入力部８１まで到達している。図６における斜線部分は、記録情報が送信されていることを意味する。
【００４９】
まず、携帯電話１０１とテレビ電話通信手段８０１を用いた検査について説明する。携帯電話１０１を所持する検査者Ｔは、検査地点に移動し、携帯電話１０１の操作部１２を操作することにより、テレビ電話通信手段８０１に、テレビ電話通信の接続を指令する。携帯電話１０１はアンテナ１７と基地局４１との間で無線通信を行い、さらに移動通信網４０、ゲートウェイ装置６０及び固定通信網５０を介して、通信品質検査装置７０のテレビ電話通信手段８０１に対し、通信接続要求を行う。
【００５０】
待ち受け状態であったテレビ電話通信手段８０１は、送受信部８３を介し、通信制御部８６で、通信接続要求を認識し、固定通信網５０、ゲートウェイ装置６０、移動通信網４０及び基地局４１を介して、携帯電話１０１に応答を返し、テレビ電話通信状態へと移行する。テレビ電話通信状態へと移行すると、送信情報処理部８５は、テレビ電話通信手段８０１の送信情報入力部８１まで到達していた記録情報を制御部８２の制御指令により取得すると共に、固定通信網５０に送信する形式に変換処理し、送受信部８３を介して、変換処理された記録情報を携帯電話１０１へ向けて、送信する。
【００５１】
次いで、送信された記録情報は、固定電話網５０、ゲートウェイ装置６０、移動通信網４０及び基地局４１を介し、アンテナ１７を通じて、携帯電話１０１に受信される。受信された記録情報のうち、動画像情報は表示部１３に表示され、音声情報は通話用スピーカ１４または案内スピーカ１８により再生される。そこで、検査者Ｔは、表示された動画像情報及び再生された音声情報を確認することにより、携帯電話１０１のテレビ電話受信品質を検査する。
【００５２】
検査が終了すると、検査者Ｔは、携帯電話１０１の操作部１２を操作することにより、テレビ電話通信手段８０１とのテレビ電話通信の切断を指令する。すると、携帯電話１０１はアンテナ１７と基地局４１との間で無線通信を行い、移動通信網４０との接続を切断し、これとともに表示再生も終了する。引き続き、移動通信網４０は、ゲートウェイ装置６０及び固定通信網５０を介して、通信品質検査装置７０のテレビ電話通信手段８０１に対し、通信が切断されたことを通知する。
【００５３】
テレビ電話通信状態であったテレビ電話通信手段８０１は、送受信部８３を介し、通信制御部８６で、通信切断の通知を認識し、通信回線を解放して待ち受け状態へと移行する。それとともに、送信情報処理部８５は、送信情報入力部８１からの記録情報の取得を終了し、記録情報の固定通信網５０への送信も終了する。
【００５４】
一方、図６において、検査者Ｔの操作部１２の操作により、テレビ電話通信状態となったテレビ電話通信手段８０１に接続された携帯電話１０１は、図６で説明した記録情報の表示再生の動作と共に、図７に示されるように、携帯電話１０１の自分撮り用カメラ１６または相手撮り用カメラ１９による動画像の撮影と、マイクロフォン１５による音声の入力を開始する。
【００５５】
撮影された動画像の情報及び入力された音声の情報である撮影入力情報、及び、受信又は計測された無線信号情報は、携帯電話１０１のアンテナ１７から、基地局４１、移動通信網４０、ゲートウェイ装置６０及び固定通信網５０を介して、通信品質検査装置７０のテレビ電話通信手段８０１に送信される。ここで、図７における斜線部分は、携帯電話１０１での撮影入力情報及び無線信号情報が送信されていることを意味する。
【００５６】
次に、テレビ電話通信手段８０１の送受信部８３は、撮影入力情報及び無線信号情報を受信する。引き続き、受信情報処理部８７は、受信された撮影入力情報及び無線信号情報を取得すると共に、受信情報出力部８４から出力される形式に変換処理し、受信情報出力部８４を介して、変換処理された撮影入力情報及び無線信号情報を情報記録解析手段９０へ出力する。
【００５７】
次いで、情報記録解析手段９０の動画音声入力処理部９１は、テレビ電話通信手段８０１から出力された撮影入力情報及び無線信号情報の入力を検知すると、撮影入力情報及び無線信号情報の入力検知の旨を制御部９２の情報記録部９６に通知すると共に、撮影入力情報を制御部９２で処理できる形式に変換処理を開始する。撮影入力情報及び無線信号情報の入力検知の旨の通知をうけた制御部９２の情報記録部９６は、動画音声入力処理部９１から、当該撮影入力情報及び当該無線信号情報が、テレビ電話通信手段８０１からの情報である旨の固有情報を取得する。
【００５８】
引き続き、情報記録部９６は、変換処理された撮影入力情報を、テレビ電話通信手段８０１からの情報であることを識別するための固有情報、及び記録開始時間と共に、記憶装置９３に記録し、さらに、情報解析部９７の動作を開始させる。情報記録部９６により動作を開始した情報解析部９７は、情報記録部９６が取得した撮影入力情報のうち、動画像である撮影情報を取得し、動画像の途切れや、解像度が粗い状態を検出して抽出し、その時刻と、抽出された時刻の動画像と、無線信号情報とを、解析結果として、記憶装置９３に記録する。
【００５９】
検査者Ｔは、検査を終了するときは、携帯電話１０１の操作部１２を操作することにより、テレビ電話通信手段８０１とのテレビ電話通信の切断を指令する。すると、図６の場合と同様に、携帯電話１０は、移動通信網４０との接続を切断し、同時に撮影入力情報及び無線信号情報の取得も終了する。また、通信が切断されたことを通知されたテレビ電話通信手段は、通信制御部８６で、通信切断の通知を認識し、通信回線を解放して待ち受け状態へと移行する。それとともに、受信情報処理部８７は、送受信部８３からの撮影入力情報及び無線信号情報の取得を終了し、撮影入力情報及び無線信号情報の情報記録解析手段９０への出力も終了する。
【００６０】
次に、情報記録解析手段９０の動画音声入力処理部９１は、撮影入力情報及び無線信号情報の入力がないことを検知すると、変換処理を終了する。そして、制御部９２の情報記録部９６は、動画音声入力処理部９１に、変換処理された撮影入力情報がないことを検出すると、記憶装置９３への撮影入力情報及び無線信号情報の記録を終了し、その終了時間を記憶装置９３に記録する。また、情報記録部９６による撮影入力情報及び無線信号情報の記録の終了とともに、情報解析部９７による解析処理及び解析結果の記録も終了する。
【００６１】
最後に、撮影入力情報の取得を終了した検査者Ｔは、情報記録解析手段９０のあるネットワークセンターに移動して、情報記録解析手段９０の操作入力装置９４を操作し、記録情報の一覧の表示を指令する。操作入力装置９４に入力された指令は、表示出力制御部９８により解読され、記憶装置９３から複数の撮影開始時間及び撮影終了時間が読み出される。引き続き、表示出力制御部９８は、読み出された複数の撮影開始時間及び撮影終了時間を、表示装置９５により出力する。
【００６２】
検査者Ｔは、出力された撮影開始時間及び撮影終了時間を確認し、確認したい情報を選択し、操作入力装置９４により、選択した撮影開始時間及び撮影終了時間の撮影入力情報、無線信号情報及び解析結果の表示を指令する。操作入力装置９４に入力された指令は、表示出力制御部９８により解読され、記憶装置９３から選択した撮影開始時間及び撮影終了時間の撮影入力情報、無線信号情報及び解析結果が読み出される。引き続き、表示出力制御部９８は、読み出された撮影入力情報、無線信号情報及び解析結果を、表示装置９５により出力する。そして、検査者Ｔは、表示装置９５に出力された撮影入力情報、無線信号情報及び解析結果を用いて、測定地点における携帯電話１０１のテレビ電話通信品質の確認を行う。
【００６３】
以上説明したように、本実施形態では、検査者Ｔの操作により通信接続の指令を受けた携帯電話１０１が、電気通信網を介して、テレビ電話通信手段８０１に通信接続要求を行う。通信接続要求を受けたテレビ電話通信手段８０１は自動的に応答し、テレビ電話通信状態に移行する。一方、記録情報再生手段７１により再生された動画像情報及び音声情報である記録情報は、再生情報分配手段７２を経由して、テレビ電話通信手段８０１に入力される。入力された記録情報は、テレビ電話通信状態に移行したテレビ電話通信手段８０１から、電気通信網を介して、携帯電話１０１に送信される。
【００６４】
記録情報を受信した携帯電話１０１は、記録情報の動画像情報を表示し、音声情報を再生する。そして、検査者Ｔは表示再生された動画像情報及び音声情報を検査する。検査が終了すると、検査者Ｔにより、通信切断を指令された携帯電話１０１は、電気通信網に通信切断を要求する。電気通信網から切断を通知されたテレビ電話通信手段８０１は、通信回線を解放して待ち受け状態へと移行し、再生情報分配手段７２から入力している記録情報の送信も終了する。
【００６５】
また、本実施形態では、通信接続要求を受けたテレビ電話通信手段８０１が自動的にテレビ電話通信状態に移行すると、携帯電話１０１は、撮影された動画像及び入力された音声の情報である撮影入力情報、及び、受信又は計測された無線信号情報を、電気通信網を介して、テレビ電話通信手段８０１に送信する。撮影入力情報及び無線信号情報を受信したテレビ電話通信手段８０１は、撮影入力情報及び無線信号情報を情報記録解析手段９０に出力する。情報記録解析手段９０は、撮影入力情報及び無線信号情報の入力を検知し、撮影入力情報及び無線信号情報の記録を開始すると共に、記録開始時間を記録する。撮影入力情報及び無線信号情報の記録を開始した情報記録解析手段９０は、同時に、撮影入力情報及び無線信号情報を解析し、その解析結果を記録する。
【００６６】
その後、電気通信網から切断を通知されたテレビ電話通信手段８０１は、通信回線を解放して待ち受け状態へと移行し、撮影入力情報及び無線信号情報の出力も終了する。情報記録解析手段９０は、撮影入力情報及び無線信号情報がないことを検知し、撮影入力情報及び無線信号情報の記録、解析及び解析結果の記録を終了すると共に、記録終了時間を記録する。こうして記録された後、都合がよいときに、検査者Ｔが、情報記録解析手段９０を操作し、情報記録解析手段９０から出力される撮影入力情報及び無線信号情報とその解析結果を検査する。
【００６７】
また、テレビ電話通信手段８０２〜８０Ｎについても、それぞれ、携帯電話１０２〜１０Ｎとテレビ電話通信を行うことにより、テレビ電話通信手段８０１及び携帯電話１０１を用いて行った検査と同様の検査を行う。この場合、携帯電話１０１〜１０Ｎが係わるテレビ電話通信の品質の検査は、それぞれ別の時間に行われてもよいし、Ｎ個の検査とも重なる時間であってもよい。
【００６８】
したがって、本実施形態によれば、本発明の通信品質検査装置を用いることにより、テレビ電話通信を行う双方の移動通信端末装置に検査者を同時に配置することなく、通信品質の検査を行うことができる。この結果、移動通信端末装置が係わるテレビ電話通信の品質を簡易に、かつ、正確に検査することができる。また、本実施形態では、解析手段は記録された第２情報の動画像情報及び無線信号情報を解析する。この結果、検査者は、より簡易に、かつ正確に検査することができる。さらに、本実施形態では、複数の移動通信端末装置からの通信を同時に行うことができるので、複数の移動通信端末装置が係わるテレビ電話通信の品質を同時に検査することができる。
【００６９】
また、本実施形態では、情報記録手段は、テレビ電話通信が行われているときのみ記録を行うので、記録媒体を無駄に消費せず記録できると共に、検査する対象である動画像及び音声の量を減らすことができる。また、本実施形態では、テレビ電話通信手段側に人を配置していなくても、自動的に通話状態を作り出すことができ、検査を開始することができるので、より簡易に検査することができる。
【００７０】
また、本実施形態では、電気通信網として、固定通信網、移動通信網、及び固定通信網と移動通信網を接続するゲートウェイを利用し、固定通信網にテレビ電話通信手段を接続しているので、検査対象である移動通信端末装置と移動通信網との間の無線区間以外をすべて有線で結ぶことになり、第１情報及び第２情報の劣化を防ぐことができる。この結果、より正確な検査を行うことができる。
【００７１】
なお、本実施形態においては、自分撮り用カメラ１６を用いて撮影を行ったが、相手撮りカメラ１９を用いてもよいし、携帯電話１０内に記録された動画像を用いてもよい。
【００７２】
また、本実施形態においては、テレビ電話通信手段を３つとする構成としたが、１つの場合、２つの場合及び４つ以上の場合のいずれの場合にも、本実施形態と同様に通信品質検査装置を構成することができる。
【００７３】
また、本実施形態においては、電気通信網の構成として、移動通信網４０、ゲートウェイ装置６０及び固定通信網５０を使用したが、移動通信網４０のみでもよいし、この他の通信網を含む構成であってもよい。
【００７４】
また、本実施形態においては、情報解析部９７による解析は、情報記録部９６が撮影入力情報及び無線信号情報を記録するのと同時に解析を行っていたが、情報記録部９６が撮影入力情報及び無線信号情報の記録を終了した後や、検査者が検査を行う際に、更に詳細な解析を行ってもよい。
【００７５】
また、本実施形態では、折りたたみ回動可能なクラムシェル型の携帯電話を使用したが、表示部の表示面と操作部の操作面が同一方向を向いたまま重なり合うように回転する、いわゆるレボルバ型の携帯電話であってもよいし、その他の形態であってもよい。
【００７６】
また、本実施形態においては、移動通信端末装置として携帯電話を使用したが、携帯電話以外の移動通信端末装置であってもよい。
【産業上の利用可能性】
【００７７】
以上説明したように本発明の通信品質検査装置、通信品質検査方法、及び通信品質検査システムは、移動通信端末装置におけるテレビ電話通信の品質検査装置に適用することができる。
【図面の簡単な説明】
【００７８】
【図１】一実施形態に係る通信品質検査システムを概略的に示す図である。
【図２】図１の携帯電話１０１を概略的に示す図である。
【図３】図１の通信品質検査装置７０の内部構成を説明するための機能ブロック図である。
【図４】図１のテレビ電話通信手段８０１の内部構成を説明するための機能ブロック図である。
【図５】図１の情報記録解析手段９０の内部構成を説明するための機能ブロック図である。
【図６】記録情報（第１情報）の通信品質検査の方法を説明するためのシーケンス図である。
【図７】撮影入力情報及び無線信号情報（第２情報）の通信品質検査の方法を説明するためのシーケンス図である。
【符号の説明】
【００７９】
１０１〜１０Ｎ…携帯電話（移動通信端末装置）、１１…携帯電話本体、１２…操作部、１３…表示部、１４…通話用スピーカ、１５…マイクロフォン、１６…自分撮り用カメラ、１７…アンテナ、１８…案内用スピーカ、１９…相手撮り用カメラ３０…電気通信網、４０…移動通信網（電気通信網の一部）、４１…基地局（電気通信網の一部）、５０…固定通信網（電気通信網の一部）、６０…ゲートウェイ装置（電気通信網の一部）、７０…通信品質検査装置、７１…記録情報再生手段、７２…再生情報分配手段、８０１〜８０Ｎ…テレビ電話通信手段、８１…送信情報入力部、８２…制御部、８３…送受信部、８４…受信情報出力部、８５…送信情報処理部、８６…通信制御部、８７…受信情報処理部、９０…情報記録解析手段、９１…動画音声入力処理部、９２…制御部、９３…記憶装置、９４…操作入力装置、９５…表示装置、９６…情報記録部、９７…情報解析部、９８…表示出力制御部、１００…通信品質検査システム。
【図１】
2005303912.tif 000003
【図２】
2005303912.tif 000004
【図３】
2005303912.tif 000005
【図４】
2005303912.tif 000006
【図５】
2005303912.tif 000007
【図６】
2005303912.tif 000008
【図７】
2005303912.tif 000009